(57)【要約】【課題】温度上昇が抑制されながら照明器具および電源装置などが汚れにくく清潔に保たれ、メンテナンスが容易であり、しかも部品数が少なくコスト低減を図ることが可能な照明スタンドを提供する。【解決手段】基台上の下部支持板よりも上方の支柱の各側面にランプを設置し、それらランプを囲むように透光性樹脂からなる保護パイプを配した照明スタンドにおいて、耐熱性樹脂製の上部押えカバーを頂部に備え、該上部押えカバーは、中央に支柱の頂部に嵌合する開口つきボス部を、傘部下面には前記保護パイプの上端に嵌合する周溝をそれぞれ有し、かつ傘部の４隅には下部支持板から延出した棒部材の締め付け固定用部を有しており、上部押えカバーを支柱および保護パイプとそれぞれ嵌合させることにより１部材で支柱を貫通する空気流路を形成しつつ、保護パイプ内部に閉鎖空間を画成している。【選択図】図１
0003137614.tif 000002
【実用新案登録請求の範囲】
【請求項１】
基台の中心を貫通して熱伝導率の高い中空状の支柱を延在させ、基台上の下部支持板よりも上方の支柱の各側面にランプを設置し、それらランプを囲むように透光性樹脂からなる保護パイプを配した照明スタンドにおいて、該スタンドが耐熱性樹脂製の上部押えカバーを頂部に備え、該上部押えカバーは、中央に支柱の頂部に嵌合する開口つきボス部を、ボス部の下端から延びる傘部の下面には前記保護パイプの上端に嵌合する周溝をそれぞれ有し、かつ傘部の４隅には下部支持板から延出した棒部材の締め付け固定用部を有し、上部押えカバーを支柱および保護パイプとそれぞれ嵌合させることで、支柱を貫通する空気流路を形成しつつ、保護パイプ内部に閉鎖空間を画成していることを特徴とする照明スタンド。
【請求項２】
周溝は、保護パイプの上端に嵌めたシールゴムが密接する間隔をもって傘部下面から垂下した外輪壁とこれと同心状の内輪壁から構成されている請求項１に記載の照明スタンド。
【請求項３】
下部支持板はランプに接続する電線の単一の小径な挿通穴を有している請求項１に記載の照明スタンド。
【考案の詳細な説明】
【技術分野】
【０００１】
本考案は照明スタンドの改良に関する。
【背景技術】
【０００２】
支柱の周りに照明器具を垂直状に複数本間隔を置いて配した照明スタンドは、床上から作業員の身長程度までの高さを３６０度でパノラマ式に照らすことができるので、建設、建築工事現場における作業用照明などに汎用されている。
【０００３】
かかる照明スタンドとして、従来、内部に電気系機器を内装したボックス状の基台の中心を貫通して支柱を延在させ、基台の上端には底板を固定し、これよりも上方の支柱の各側面に蛍光ランプを設置するとともにこれを囲むように透光性樹脂からなる筒状のランプガードを配し、そのランプガードの下端と上端を、前記底板とこれと対を成した天板とで挟持させ、底板と天板の４隅に棒の端部を挿通させてダブルナットで固定し、前記天板よりも上方に突出する支柱の上端部に傘状のランプガードキャップを取り付けた構造のものが提案されている。
【０００４】
そして、前記先行技術においては、蛍光ランプから発せられる熱を排出する機能を持たせるべく、図８〜図９のように、基台の側面または底面に空気取り入れ穴ａを設けるとともに、底板ｂにおけるランプガードの輪郭内の部分に、各蛍光ランプに対応して下部通気穴ｃを設け、図１０のように、天板ｄにも同様な関係位置に上部通気穴ｅを設け、照明スタンドとしての使用中に、空気取り入れ穴ａから下部通気穴ｂを通してランプガードｈの内部空間に外部空気を流入させ、内部空間から上部通気穴ｅを通して流出させ、ランプガードキャップｆの下の空隙ｇを経て周囲に排出されるようにしていた。
【０００５】
この構造は積極的にランプガード内に対流を起こさせることにより過熱防止を図ったのであるが、建築中や建設中の現場において照明スタンドの置かれる床付近は、セメント系、木工系、繊維系など多種多様な粉塵が旺盛に発生している環境にあるので、次のような問題を生じさせていた。
第1に、前記流路構造によって空気と共に粉塵がランプガードｈ内に侵入して漂い、上昇気流でランプガード内から作業高さ空間に排出されたり、ランプガード内で落下して底板に溜まったりする。
【０００６】
その結果、ランプガードｈの内面や蛍光ランプに粉塵が付着して、照度の低下を招いたり、あるいは底板付近で粉塵が漂うといった状態になる。こうした汚れを除去し不衛生な状態を改善するためには、そうとう頻繁にランプガードキャップ、ランプガードと天板、底板の組立てを分解して清掃しなければならず、これに手間と時間がかかるので、メンテナンスコストが高くなる問題があった。
【０００７】
第２に、前記ボックス状の基台内には電源装置などの電気回路が組み込まれており、電源装置は蛍光ランプを放電する際に両極電圧を昇圧放電するためにインバーター回路を形成し、プリント基板上に小型トランスやコンデンサーなどの電子部品が高密度に実装され、配線されている。先行技術では、前記のように基台の側面または底面に空気取り入れ穴ａを設け、ここから底板ｂの下部通気穴ｃを通してランプガードｈ内に空気を取り込んでいるので、前記電子部品やプリント基板上に粉塵が堆積し、高温多湿な環境下では粉塵が水分を吸収し、電子部品やプリント基板の絶縁性能を著しく劣化させ、機器の寿命を短くしたり、故障の原因となったりしていた。
【特許文献１】特許第３１０３０３７号
【考案の開示】
【考案が解決しようとする課題】
【０００８】
本考案は前記のような問題点を解消するためになされたもので、その目的とするところは、照明器具部分が汚れにくく清潔に保たれ、メンテナンスが容易であるとともに電源装置などの劣化や故障が生じにくく、しかも部品数が少なくコスト低減を図ることが可能な照明スタンドを提供することにある。
【課題を解決するための手段】
【０００９】
上記目的を達成するため本考案は、基台の中心を貫通して熱伝導率の高い中空状の支柱を延在させ、基台上の下部支持板よりも上方の支柱の各側面にランプを設置し、それらランプを囲むように透光性樹脂からなる保護パイプを配した照明スタンドにおいて、該スタンドが耐熱性樹脂製の上部押えカバーを頂部に備え、該上部押えカバーは、中央に支柱の頂部に嵌合する開口つきボス部を、ボス部の下端から延びる傘部の下面には前記保護パイプの上端に嵌合する周溝をそれぞれ有し、かつ傘部の４隅には下部支持板から延出した棒部材の締め付け固定用部を有し、上部押えカバーを支柱および保護パイプとそれぞれ嵌合させることで、支柱を貫通する空気流路を形成しつつ、保護パイプ内部に閉鎖空間を画成していることを特徴としている。
【考案の効果】
【００１０】
本考案によるときには、ランプを外囲する保護パイプの上端部が上部押えカバーの傘部下面に形成した周溝に嵌合してシールされているので、保護パイプ内の空気は外部に逃げず外部空気との対流が発生しない。このため外部の粉塵が吸い込まれないので、保護パイプやランプが汚れにくく、清掃作業の頻度を低下できるので、メンテナンス費用が節約される。また、電源装置の電子部品やプリント基板への粉塵の付着、堆積が生じなくなるので、故障が生じにくくなる。
【００１１】
保護パイプ内の温度上昇については、ランプにより熱せられた空気は閉鎖空間中においても保護パイプ内を上昇するが、上部空間と下部空間の温度勾配は緩やかで保護パイプ内の空気は比較的一体的に加熱され、中心の支柱の表面と接して万遍なくこれに伝熱する。支柱は熱伝導率の高い材質からなっており、軸線方向を貫通して空気流路を有しているので、万遍なく支柱に伝わった前記保護パイプ内の熱は効率よく支柱内を上昇する空気により排熱される。したがって、下方から保護パイプ内に空気を取り入れそれを上部から排出するような対流による温度低下を図らなくても、保護パイプ内部の温度上昇を十分に抑えることができる。
【００１２】
しかも、本考案は、上部押えカバーなる一部品により保護パイプの上端部の固定と保護用の棒部材の固定を行い、従来のような天板とランプガードキャップを用いないので、部品数が少なくなり、部品費・組立加工費とも低減できる。
また、従来のものでは、ランプガードキャップの頂部側面がビスで角柱に止められると、その他の部分がちょうど電灯の笠のように浮いた自由端となっていたので、照明スタンドの運搬時、特に横積する場合に床などとの衝突で割れ易い問題もあったが、本考案では上部押えカバーの中央部が支柱と嵌合し、傘部の４隅が棒部材の上端部に締め付け固定されているので、上部押えカバーが割れる心配もない。
【考案を実施するための最良の形態】
【００１３】
周溝は、保護パイプの上端に嵌めたシールゴムが密接する間隔をもって傘部下面から垂下した外輪壁とこれと同心状の内輪壁からなる。
これによれば、保護パイプの上端を確実にシールすることができ、また周溝が補強リブとしても機能し、傘部の強度を増すことができる。
【００１４】
下部支持板はランプに接続する電線の単一の小径な挿通穴を有している。
これによれば、保護パイプ内に粉塵吸い込まれることがないうえに、下部支持板の下にある電装ボックス内にも外気が積極的に吸い込まれないので、電装ボックス内の電源装置や電子回路に対する粉塵の堆積が防止され、故障の発生を的確に回避できる。
【実施例１】
【００１５】
以下添付図面を参照して本考案の実施例を説明する。
図１ないし図６は本考案による竪型照明スタンドの一実施例を示しており、１は移動可能な４個のキャスタ１００のついた鋼板製の基台であり、該基台1の中央部に角型フランジ２を固定し、この角型フランジ２に熱伝導率の高い材料たとえばアルミ製角パイプからなる支柱３を嵌合立脚させ、中心軸を構成している。前記角型フランジ２の取り付け位置に相当する基台には支柱１の下端開口に連通する空気流通穴１０が設けられている。
【００１６】
前記基台1から適度に離間した支柱部位には、下部支持板４が中央部をもって嵌合されており、この下部支持板４と基台１の間には断面 コ 状の電装パネル５が配置され、下端を基台１に上端を下部支持板４に各々ビス留めすることにより閉鎖空間を構成している。そして、ここにインバーター、スイッチ、漏電ブレーカー、電力受取コンセント並びに電力引き出しコンセントなどの電源装置６を組み込んでいる。
【００１７】
前記下部支持板４よりも上方の支柱部分には、それぞれの面にサッシを介してソケットホルダー７０を上下に一対ずつ配置し、直管蛍光ランプ７を縦にしてソケット７１に組込み、前記ソケットホルダーに嵌合させている。
そして、前記下部支持板４には、図３のように支柱３に比較的近く導孔４０を設け、これを通して前記電源装置６からの４対の電線６０を導き、各ランプソケット７１と接続している。前記導孔４０は空気を取り入れるためのものではなく、電線を挿通するだけの大きさを有しており、導孔４０は要すれば電線に接するガスケットを取り付けていてもよい。
【００１８】
前記蛍光ランプ７の外方は透明な合成樹脂からなる保護パイプ８でカバーされている。前記保護パイプ８を支持する構造として、本考案は、上部押えカバー９と下部支持板４で保護パイプ８の上下端をはさみこみ、かつ、４本の棒部材１２を、保護パイプ８を囲むように縦架して前記上部押えカバー９と下部支持板４の４隅に設けた丸穴に棒部材１２の端部ねじを貫挿させ、ダブルナット１３で絞めつけることにより保持している。  
【００１９】
前記上部押えカバー９は熱伝導性のよいアルミニウムなどの金属で構成されてもよいが、一般には、ポリカーボネ−ト樹脂などの耐熱性の優れた合成樹脂製成形品からなる。
上部押えカバー９は中央部に支柱３の上端部と嵌合するボス部９０を有しており、このボス部は支柱３の輪郭に合致する角筒部９００とこれの上端から屈曲して内径側に伸びる天井部９０１を有し、天井部９０１には支柱３の上端開口と連通する開口９０２が設けられている。
【００２０】
上部押えカバー９は、ボス部９０の基端から所要角度で下降する傘部９１を有しており、この傘部９１の外端は下方に向いた垂れを有し、垂れの近傍の４隅には、締め付け固定用部として、図５と図６のように凹入状の座部９２が形成され、ここに前記棒部材１２の端部ねじを貫挿させる丸穴９２０が形成されている。
【００２１】
そして、前記垂れよりも内径側の傘部下面には、保護パイプ８の上端部８０を嵌合するための周溝９３が一体形成されている。周溝９３は、図５と図６のように、傘部下面から垂下した外輪壁９３０とこれと同心状の内輪壁９３１からなり、それらは一定間隔ごとに交差リブ９３２で結合されている。外輪壁９３０と内輪壁９３２の間は、保護パイプ８の上端８０に嵌めたシールゴム１４が密接する寸法とされている。前記集溝９３は傘部９１の下面に突設されることから補強リブとしても機能し、傘部の強度を増すことができる。
【００２２】
上記のように、支柱３および保護パイプ８はそれぞれ上部押えカバー９と嵌合し、これにより保護パイプ８は上端がシールされるため、保護パイプ内部は閉鎖空間が構成される。
本考案の照明スタンドは、キャスタにより現場に搬入し、電源装置６からコードを電源に接続することにより蛍光ランプ７が点灯し、作業空間を照明する。
【００２３】
このときに使用現場が粉塵発生環境にあっても、下部支持板４には外部空気の取り入れ口がないので、電装パネル５内の電源装置６の構成電子部品に粉塵が付着、堆積することがなく、電子部品の寿命を本来のものに近づけさせることができるとともに、故障の発生を回避できる。
また、下部支持板４から空気が取り込まれず、保護パイプ８の上端も上部押えカバー９の周溝９３に嵌合されることにより閉じられ、空気の流れを制約しているので、保護パイプ内には粉塵が侵入しない。このため、保護パイプ８の内面や蛍光ランプ７に粉塵が付着して汚れることが非常に少なくなくなり、良好な照度を保つことができる。また、保護パイプ内の汚れがほとんど生じないので、分解、清掃の手間と時間が省け、メンテナンスが容易となる。
【００２４】
前記のように本考案は保護パイプ内の空気の流れを遮断しているが、蛍光ランプ７の点灯の継続に伴って発生するソケット側の熱は、保護パイプ内の中央に延在している支柱３に直接的に伝導され、また、加熱された空気は閉鎖空間の中においても、保護パイプ内の上部すなわち上部押えカバー９の傘部９１の下の空間に集まるが、保護パイプ内の上部空間と下部空間の温度勾配は緩やかであり、保護パイプ内の空気は比較的一体的に加熱されるため中心軸の支柱の表面と接して排熱しやすい環境になる。
【００２５】
この部分には熱伝導率の高い材料からなる支柱３があるため、これに旺盛に伝導される。支柱内は煙突状の空気通路３０が貫設されているので、前記伝熱は空気通路３０を通る空気流によって持ち去られ、排熱される。
したがって保護パイプ内が密閉状空間であっても過度の温度上昇が起ることはない。本考案者により保護パイプ内上部の温度を実地に測定したところ、図７〜１０に示す従来の構造の場合に比べて、温度上昇は周囲温度にもよるが、＋１〜２℃程度とわずかであることが確認された。
【００２６】
そして、従来では、保護パイプ内に空気を流通させそれを上部から排出することで温度上昇を抑制する構造であったため、保護パイプの上端を固定するための天板と放熱空隙形成用の傘状のランプガードキャップを必要としていたが、本考案は、上部押えカバー９のみで足りるので、部品点数と組立工数を減少することができ、コストの低減も可能になる。
【図面の簡単な説明】
【００２７】
【図１】本考案による竪型証明スタンドの一実施例を示す部分切欠側面図である。
【図２】実施例におけるスタンド下部を示す縦断側面図である。
【図３】図２の横断面図である。
【図４】実施例におけるスタンド上部の半部切欠側面図である。
【図５】図４のＸ−Ｘ線に沿う断面図である。
【図６】図５のＹ−Ｙ線に沿う断面図である。
【図７】従来の照明スタンドの半断側面図である。
【図８】従来の照明スタンドの下部構造を示す断面図である。
【図９】図８の横断面図である。
【図１０】従来の照明スタンドの上部構造を示す断面図である。
【符号の説明】
【００２８】
１  基台
３  支柱
４  下部支持板
７  ランプ
８  保護パイプ
９  上部押えカバー
１２  棒部材
４０  挿通穴
９０  ボス
９１  傘部
９３  周溝部
９３０  外輪壁
９３２  内輪壁
【図１】
0003137614.tif 000003
【図２】
0003137614.tif 000004
【図３】
0003137614.tif 000005
【図４】
0003137614.tif 000006
【図５】
0003137614.tif 000007
【図６】
0003137614.tif 000008
【図７】
0003137614.tif 000009
【図８】
0003137614.tif 000010
【図９】
0003137614.tif 000011
【図１０】
0003137614.tif 000012